(57)【要約】【課題】  コールドパーマを施す際においてロッドに巻き付けた髪に振り掛けるパーマ液が額まわりや首筋等に滴下するのを防止すると共に耳孔内への侵入も防止することができ、更には安価且つ再利用することができる、パーマ用ヘアターバンを得る。【解決手段】  伸縮性を有した布帛の長手方向の両辺部をそれぞれ渦状に巻き複数箇所に絞部を設けることにより複数の胴部及び両端部を形成し、前記胴部における先端側の胴部に後端側の端部及び胴部を挿入して当該パーマ用ヘアターバンを頭部に保持するための穴部を形成し、更に前記両端部に当該パーマ用ヘアターバンの頭部への保持を維持するための掛止具を係着した構成とする。【選択図】        図１
0003119455.tif 000002
【実用新案登録請求の範囲】
【請求項１】
伸縮性を有した布帛の長手方向の両辺部をそれぞれ渦状に巻き複数箇所に絞部を設けることにより複数の胴部及び両端部を形成し、前記胴部における先端側の胴部に後端側の端部及び胴部を挿入して当該パーマ用ヘアターバンを頭部に保持するための穴部を形成し、更に前記両端部に当該パーマ用ヘアターバンの頭部への保持を維持するための掛止具を係着して構成したことを特徴とする、パーマ用ヘアターバン。
【考案の詳細な説明】
【技術分野】
【０００１】  本考案は、コールドパーマを施す際においてロッドに巻き付けた髪に振り掛けるパーマ液が額まわりや首筋等に滴下するのを防止すると共に耳孔内への侵入も防止することができる、パーマ用ヘアターバンに関するものである。
【背景技術】
【０００２】  従来、コールドパーマを施す際においてロッドに巻き付けた髪にパーマ液をスポイト等を用いて振り掛けている。このとき、額まわりや首筋等を伝わって滴下したパーマ液を皮膚や衣服に付着させたまま放置すると、皮膚に炎症を起こしたり衣服に弊害を起こすことがある。このため、タオルを頭部後方の首筋から額部にかけて巻き付け、該タオルの両端部を輪ゴムで縛ることにより当該タオルを皮膚に密着させ、前記パーマ液を吸収して額まわりや首筋等に滴下するのを防止している。また、耳孔内にパーマ液が侵入するのを防止するため、耳カバーを外耳に被せている。【０００３】  しかし、従来のタオルを頭部に巻き付ける方法によれば、タオルを細長く絞っても比較的太くなってしまうため皮膚との密着が充分に行えなかった。このため、外耳との付け根付近に隙間ができ当該外耳の付け根よりパーマ液が漏れて首筋等に滴下してしまうという問題点があった。また、タオルを巻き付けた後に耳カバーを被せる必要があり、手間が掛かってしまうという問題点もあった。該問題点を解決すべく本願出願人による実開昭６３−１３２６０５号公報の『ヘアターバン』においては、保水材を内包したヘアターバンにパーマ液から外耳を保護する耳当てを設け、側頭部にセットしたロッド等の巻具から外耳及び外耳付け根への滴下によるパーマ液の漏れを確実に防止すると共に前記耳当てを外耳に袋掛けにすることにより外耳からの脱落を防止することができるパーマ用のヘアターバンを提案した。【０００４】
【特許文献１】実開昭６３−１３２６０５
【考案の開示】
【考案が解決しようとする課題】
【０００５】  上記実開昭６３−１３２６０５号公報におけるヘアターバンは、皮膚との密着が充分に行えることにより、外耳との付け根付近に隙間ができることもなく当該外耳の付け根よりパーマ液が漏れて首筋等に滴下してしまうと問題点と、耳カバーを被せる手間が掛かってしまうという問題点の全てを解決することができた。【０００６】  しかしながら、該ヘアターバンの外形が弓状を成していること及び袋掛け部を有した耳当てを設けていることにより、製造工程が複雑化して製品コストが上昇してしまうという問題点が生じていた。また、保水材を内包しているため再利用することができず使い捨てとなり、利用者側において経費が掛かってしまうという問題点も生じていた。【０００７】  本考案は、上記問題点を解決するために成されたものであり、コールドパーマを施す際においてロッドに巻き付けた髪に振り掛けるパーマ液が額まわりや首筋等に滴下するのを防止すると共に耳孔内への侵入も防止することができ、更には安価且つ再利用することができる、パーマ用ヘアターバンを提供することを目的とする。
【課題を解決するための手段】
【０００８】  上記課題を解決するため、本考案のパーマ用ヘアターバンにあっては、伸縮性を有した布帛の長手方向の両辺部をそれぞれ渦状に巻き複数箇所に絞部を設けることにより複数の胴部及び両端部を形成し、前記胴部における先端側の胴部に後端側の端部及び胴部を挿入して当該パーマ用ヘアターバンを頭部に保持するための穴部を形成し、更に前記両端部に当該パーマ用ヘアターバンの頭部への保持を維持するための掛止具を係着して構成する。
【考案の効果】
【０００９】  本考案のパーマ用ヘアターバンを使用してコールドパーマを施すようにすれば、耳に当接した胴部を拡げて外耳に被せることにより、パーマ液の額まわりや首筋等への滴下を防止できると共に耳孔内への侵入も確実に防止することができるという効果を奏する。また、保水材を使用することなく伸縮性を有した布帛のみを使用し、形状や構造も単純であるため、安価に製造することができると共に再利用することもできるという絶大なる効果を奏する。
【考案を実施するための最良の形態】
【００１０】  本考案を実施するための最良の形態を図を用いて説明する。【００１１】  図１は本考案のパーマ用ヘアターバンの外形図であり、（ａ）は正面図（ｂ）は裏面図である。該図に示すように、パーマ用ヘアターバン１は、伸縮性を有した布帛の長手方向の両辺部をそれぞれ渦状に巻き複数箇所に絞部４を設けることにより複数の胴部２及び両端部３を形成した形状となる。前記両端部３は、先端部３ａと後端部３ｂからなる。【００１２】  図２は図１におけるＡ−Ａ断面図であり、（ａ）は通常状態（ｂ）は左側の渦状に巻いた布帛を拡げた状態図である。該布帛は、横手方向に大きな伸縮性を有しており、（ｂ）図の矢印で示したように溝部６より胴部２の渦状状態を拡げることができるだけでなく、布帛自体を伸張させることができるものである。なお、前記布帛はパイル織のアクリル素材が好適であるが、特に限定するものではない。【００１３】  また、上記胴部２における先端側の胴部２ａに後端側の端部３ｂ及び胴部２を挿入して当該パーマ用ヘアターバン１を頭部に保持するための穴部５を形成し、更に上記両端部３に当該パーマ用ヘアターバン１の頭部への保持を維持するための掛止具７を係着して構成する。なお、前記掛止具７は耐薬品性を有した輪ゴムが好適であるが、特に限定するものではない。
【実施例】
【００１４】  本考案の実施例を図を用いて説明する。【００１５】  図３は本考案のパーマ用ヘアターバンの使用状態を示す正面図であり、図４は本考案のパーマ用ヘアターバンの使用状態を示す側面図である。該図に示すように、まずコールドパーマを施す際において髪をロッド８に巻き付けておき、次にパーマ用ヘアターバン１を頭部後方の首筋から額部にかけて巻き付け、先端側の胴部２ａの穴部５に後端側の端部３ｂ及び胴部２を挿入して締め付ける。【００１６】  次にパーマ用ヘアターバン１の両端部３である先端部３ａ及び後端部３ｂに係着した輪ゴム等の掛止具７を、該掛止具７の前方にあるロッド８に掛ける。このようにすれば、パーマ用ヘアターバン１は頭部に確実に保持されて脱落することがない。【００１７】  更に耳９に当接した胴部２を上記図２の説明で述べたように拡げて外耳に被せる。該状態においてもパーマ用ヘアターバン１は頭部側面より確実に保持されて脱落を防止することになる。【００１８】  上記のように本考案のパーマ用ヘアターバン１を頭部に巻き付けてコールドパーマを施すようにすれば、ロッド８に巻き付けた髪に振り掛けるパーマ液が額まわりや首筋等に滴下するのを防止することができると共に耳孔内への侵入も確実に防止することができる。また、該パーマ用ヘアターバン１の素材は伸縮性を有したパイル織アクリル等の布帛であるため、洗濯して何度でも利用することができる。
【図面の簡単な説明】
【００１９】
【図１】本考案のパーマ用ヘアターバンの外形図である。
【図２】図１におけるＡ−Ａ断面図である。
【図３】本考案のパーマ用ヘアターバンの使用状態を示す正面図である。
【図４】本考案のパーマ用ヘアターバンの使用状態を示す側面図である。
【符号の説明】
【００２０】  １  パーマ用ヘアターバン
２  胴部
３  端部
４  絞部
５  穴部
６  溝部
７  掛止具
８  ロッド
９  耳
【図１】
0003119455.tif 000003
【図２】
0003119455.tif 000004
【図３】
0003119455.tif 000005
【図４】
0003119455.tif 000006